(57)【要約】【課題】インターネット上のサーバからコンテンツを取得して通信端末に表示する通信システムにおいて、通信端末がインターネットに接続するために利用しているアクセス回線に応じて、通信端末の表示を変更する。【解決手段】通信端末に、表示部１０１と、アクセス回線情報受信部１４４と、コンテンツ変更部１０５と、コンテンツ取得部１０６を備え、Ｗｅｂサーバに、アクセス回線情報収集部を備える。通信端末がＷｅｂサーバにコンテンツの取得要求を送信すると、Ｗｅｂサーバはアクセス回線情報収集部が収集した通信端末のアクセス回線情報を返信する。通信端末では、アクセス回線情報受信部１４４で受信したアクセス回線情報に応じて、コンテンツ変更部１０５が表示部１０１に表示するコンテンツのＵＲＬを変更し、コンテンツ取得部１０６が概ＵＲＬのコンテンツを取得し表示部１０１に表示する。【選択図】図３
2006331061.tif 000002
【特許請求の範囲】
【請求項１】
通信端末に表示するコンテンツをインターネットに接続されたサーバから取得するシステムにおいて、前記通信端末を前記インターネットに接続する際に使用するアクセス回線の情報を収集するアクセス回線情報収集手段と、前記アクセス回線の情報に応じて通信端末の表示内容を変更する表示変更手段とを備えることを特徴とするシステム。
【請求項２】
前記サーバに前記アクセス回線情報収集手段を備え、前記通信端末に表示変更手段を備えることを特徴とする請求項１記載のシステム。
【請求項３】
前記アクセス回線の情報は、前記通信端末と前記サーバ間に存在する通信データ中継装置を特定する情報であることを特徴とする請求項２記載のシステム。
【請求項４】
前記表示変更手段は、前記アクセス回線の情報とコンテンツのアドレス情報が一意に対応したリストの中から、前記アクセス回線の情報に対応する前記アドレス情報を取得することを特徴とする請求項２〜３のいずれかに記載の表示変更システム。
【請求項５】
表示するコンテンツをインターネットに接続されたサーバから取得する通信端末であって、当該通信端末が前記インターネットに接続する際に使用するアクセス回線の情報を前記サーバから受信するアクセス回線情報受信手段と、前記アクセス回線の情報に応じて表示装置に表示する内容を変更する表示変更手段とを備えることを特徴とする通信端末。
【請求項６】
当該通信端末と前記サーバ間に存在する通信データ中継装置を特定する情報を、前記アクセス回線の情報として前記サーバから前記アクセス回線情報受信手段で取得することを特徴とする請求項５記載の通信端末。
【請求項７】
前記アクセス回線の情報と前記通信端末に表示するコンテンツを取得するためのアドレス情報を一意に対応させたアドレスリストを備え、前記表示変更手段において、前記アクセス回線の情報に対応する前記アドレス情報を前記アドレスリストから取得することを特徴とする請求項５〜６のいずれかに記載の通信端末。
【請求項８】
通信端末に表示するコンテンツをインターネットに接続されたサーバから取得するシステムで用いられるサーバであって、アクセス回線の情報を取得するアクセス回線情報収集手段と、前記回線情報収集手段で取得したアクセス回線の情報を前記通信端末に送信するアクセス回線情報送信手段とを備えることを特徴とするサーバ。
【請求項９】
前記アクセス回線の情報は、前記通信端末と前記サーバ間に存在する通信データ中継装置を特定する情報であることを特徴とする請求項８記載のサーバ。
【発明の詳細な説明】
【技術分野】
【０００１】
本発明は、インターネットなどのＩＰネットワークを使った通信分野において、通信端末がサーバからコンテンツを取得して表示する通信システムに関し、特に、通信端末が接続されているネットワーク環境に応じて通信端末の表示を変更することのできる技術に関する。
【背景技術】
【０００２】
近年、Ｗｅｂブラウザを使った様々なサービスが提供されている。このサービスにおいて、Ｗｅｂサーバが、通信端末が接続されているネットワークの環境によって通信端末のＷｅｂブラウザに表示される内容を変えたいという場合がある。例えば、ＩＳＰ（Ｉｎｔｅｒｎｅｔ  Ｓｅｒｖｉｃｅ  Ｐｒｏｖｉｄｅｒ）間の差別化のために、自ＩＳＰに接続された通信端末に対してのみ特定のコンテンツを提供する場合などがそうである。
【０００３】
従来、このような目的の技術として、例えば特許文献１による、通信端末のＩＰアドレスによってＷｅｂサーバが送るコンテンツを変えるという方法があった。以下に、特許文献１の技術を用いて、通信端末が接続されているＩＳＰによってＷｅｂサーバが送るコンテンツを変える手順について説明する。
【０００４】
図８に従来の通信システムの概略を示す。図８において、通信端末１９０は、Ｗｅｂブラウザを搭載し、Ｗｅｂコンテンツを表示するためのディスプレイを備えている。また、通信端末１９０にはＩＳＰ３００から割り当てられたＩＰアドレスが付与されている。Ｗｅｂサーバ５９０は、通信端末１９０からのリクエストに応じてＷｅｂコンテンツを返送する。また、Ｗｅｂサーバ５９０は、各ＩＳＰに割り当てられているＩＰアドレスの範囲を示したＩＰアドレステーブルを保持している。インターネット４００はＩＰｖ４プロトコルによるネットワークである。ＩＳＰ３００は、通信端末１９０をインターネット４００に接続する。アクセス回線２００は通信端末１９０とＩＳＰ３００をつなぐ通信回線であり、例えば、電話回線（音声モデムによる通信）や、ＡＤＳＬ（Ａｓｙｍｍｅｔｒｉｃ  Ｄｉｇｉｔａｌ  Ｓｕｂｓｃｒｉｂｅｒ  Ｌｉｎｅ）、ケーブルテレビ網、光ファイバ網、無線回線などである。
【０００５】
この従来の通信システムにおいて、通信端末１９０がＷｅｂサーバ５９０からＷｅｂコンテンツを取得して表示する際の動作について、以下に説明する。
【０００６】
まず、通信端末１９０は、ユーザの操作に従って、所望のＷｅｂコンテンツを示すＵＲＬを含むＨＴＴＰ（Ｈｙｐｅｒｔｅｘｔ  Ｔｒａｎｓｆｅｒ  Ｐｒｏｔｏｃｏｌ）リクエストを、ＩＰプロトコルによってＷｅｂサーバ５９０に送信する。その際、送信されるＩＰパケットには、送信元アドレスとして、通信端末自身のＩＰアドレスが含まれている。ＩＰパケットはアクセス回線２００、ＩＳＰ３００、インターネット４００を介して、Ｗｅｂサーバ５９０に届けられる。
【０００７】
ここで、ＩＰアドレスは機器間で重複しないように国際的に管理されており、ＩＳＰや、企業、大学といった団体ごとに、決められた範囲のＩＰアドレスが割り当てられる。従って、通信端末のＩＰアドレスから、その通信端末がどのＩＳＰ等に接続されているか判断することができる。
【０００８】
Ｗｅｂサーバ５９０は、通信端末１９０からＨＴＴＰリクエストを受信すると、そのリクエストを格納していたＩＰパケットの送信元ＩＰアドレスから通信端末１９０のＩＰアドレスを取得し、ＩＰアドレステーブルを検索する。ＩＰアドレステーブルの中に通信端末のＩＰアドレスとＩＳＰの対応付けが含まれていれば、通信端末が接続されているＩＳＰを特定することができる。その結果、Ｗｅｂサーバ５９０は、通信端末が接続されたＩＳＰに応じたコンテンツを通信端末１９０に送信することができ、通信端末１９０では自己が接続されたＩＳＰ３００に応じた内容を表示することができる。
【特許文献１】特開２００１−３１２６６１号公報
【発明の開示】
【発明が解決しようとする課題】
【０００９】
しかしながら、従来の通信システムでは、通信端末のＩＰアドレスを用いることにより、通信端末が接続されているＩＳＰに応じて通信端末に表示する内容を変えることはできるが、通信端末が接続されているアクセス回線の違いによって表示内容を変えることはできないという問題があった。アクセス回線は、電話回線や、ＡＤＳＬ、光ファイバ網など様々であり、伝送速度や誤り率、伝送遅延などの伝送品質も様々である。特に、ＩＰネットワーク上で映像配信などの広帯域でリアルタイムのサービスを提供する場合、アクセス回線の伝送品質が悪い場合は安定したサービスを提供できない恐れがあるため、通信端末が接続されているアクセス回線が一定の条件を満たす場合にのみ、そのサービスを提供したいという要求がある。
【００１０】
本発明は、通信端末が接続されているアクセス回線に応じて、通信端末に表示する内容を変えることが可能な通信システムを提供することを目的とする。
【課題を解決するための手段】
【００１１】
前記従来の課題を解決するために、本願第１の発明にかかるシステムは、通信端末をインターネットに接続する際に使用するアクセス回線の情報を収集するアクセス回線情報収集手段と、アクセス回線の情報に応じて通信端末の表示内容を変更する表示変更手段とを備えることを特徴とする。これにより、アクセス回線に応じて通信端末の表示内容を変更することが可能となる。
【００１２】
本願第２の発明にかかるシステムは、サーバにアクセス回線情報収集手段を備え、通信端末に表示変更手段を備えることを特徴とする。これにより、アクセス回線に応じて通信端末の表示内容を変更することが可能となる。
【００１３】
本願第３の発明にかかるシステムは、アクセス回線の情報は、通信端末とサーバ間に存在する通信データ中継装置を特定する情報であることを特徴とする。これにより、アクセス回線に応じて通信端末の表示内容を変更することが可能となる。
【００１４】
本願第４の発明にかかるシステムは、表示変更手段は、アクセス回線の情報とコンテンツのアドレス情報が一意に対応したリストの中から、アクセス回線の情報に対応するアドレス情報を取得することを特徴とする。これにより、アクセス回線に応じて通信端末の表示内容を変更することが可能となる。
【００１５】
本願第５の発明にかかる通信端末は、通信端末がインターネットに接続する際に使用するアクセス回線の情報をサーバから受信するアクセス回線情報受信手段と、アクセス回線の情報に応じて表示装置に表示する内容を変更する表示変更手段とを備えることを特徴とする。これにより、アクセス回線に応じて通信端末の表示内容を変更することが可能となる。
【００１６】
本願第６の発明にかかる通信端末は、通信端末とサーバ間に存在する通信データ中継装置を特定する情報を、アクセス回線の情報としてサーバからアクセス回線情報受信手段で取得することを特徴とする。これにより、アクセス回線に応じて通信端末の表示内容を変更することが可能となる。
【００１７】
本願第７の発明にかかる通信端末は、通信端末にアクセス回線の情報と通信端末に表示するコンテンツを取得するためのアドレス情報を一意に対応させたアドレスリストを備え、表示変更手段において、アクセス回線の情報に対応するアドレス情報をアドレスリストから取得することを特徴とする。これにより、アクセス回線に応じて通信端末の表示内容を変更することが可能となる。
【００１８】
本願第８の発明にかかるサーバは、通信端末がインターネットに接続する際に使用するアクセス回線の情報を取得するアクセス回線情報収集手段と、アクセス回線の情報を通信端末に送信するアクセス回線情報送信手段とを備えることを特徴とする。これにより、アクセス回線に応じて通信端末の表示内容を変更することが可能となる。
【００１９】
本願第９の発明にかかるサーバは、通信端末とサーバ間に存在する通信データ中継装置を特定する情報を、アクセス回線の情報としてアクセス回線の情報収集手段で取得し、アクセス回線の情報送信手段で通信端末にアクセス回線の情報を送信することを特徴とする。これにより、アクセス回線に応じて通信端末の表示内容を変更することが可能となる。
【発明の効果】
【００２０】
本発明は、通信端末が利用しているインターネットへのアクセス回線に応じて、通信端末に表示する内容を変更することを可能にする。
【発明を実施するための最良の形態】
【００２１】
以下、本発明を実施するための最良の形態について、図面を参照しながら説明する。
【００２２】
（実施の形態１）
本実施の形態では、通信端末が予め保持しているＵＲＬリストの中から、通信端末がＷｅｂサーバから通知されたアクセス回線の情報に応じたＵＲＬを選出し、概ＵＲＬのコンテンツを通信端末の画面に表示する場面をモデルケースとして説明する。
【００２３】
図１は、本発明におけるアクセス回線に応じた表示変更システムの概観を示した図である。
【００２４】
図１において、通信端末１００は、インターネット４００に接続されているＷｅｂサーバ５００からコンテンツを取得して表示する。通信端末１００は、ＰＣや、ＴＶ、ＤＶＤレコーダ等のネットワークに対応した家電製品が考えられるが、これに限定されるものではない。
【００２５】
アクセス回線２００は、通信端末１００等がＩＳＰ３００と通信を行うための回線である。アクセス回線２００は、例えばＡＤＳＬ等の技術を用いた固定電話回線や、光ファイバである。一般に、通信端末１００とＩＳＰ３００間の通信速度等は、アクセス回線２００の回線品質に左右される特徴がある。
【００２６】
ＩＳＰ３００は、通信端末１００にＩＰアドレスを付与することで、インターネット４００へアクセスできるようにする。
【００２７】
Ｗｅｂサーバ５００は、インターネット４００上に設置されており、ＨＴＴＰ等の通信プロトコルに対応し、通信端末１００に対してコンテンツを提供する。本実施の形態では、Ｗｅｂサーバ５００のドメイン名は「ｗｗｗ．ａａａ．ｃｏ．ｊｐ」である。
【００２８】
図２は、ＩＳＰ３００の内部構成を示した図である。
【００２９】
図２において、ＩＳＰ３００は、複数のアクセス回線２００（以下アクセス回線２００ａ〜ｎ）を収容し、インターネット４００に接続している。
【００３０】
ルータ３０１は、アクセス回線２００ａ〜ｎと同じ台数存在し、それぞれアクセス回線２００ａ〜ｎに接続されている。以下、アクセス回線２００ａに対応しているルータ３０１をルータ３０１ａと記号を合わせて記述する。
【００３１】
ルータ３０２は、インターネット４００とルータ３０１ａ〜ｎとの間に設置されている。
【００３２】
すなわち、図２に示すＩＳＰ３００の構成では、アクセス回線２００ａに接続されている通信端末からインターネット４００に送信されるＩＰパケットは、必ずルータ３０１ａを経由する。
【００３３】
図３は、通信端末１００の内部構成を示した図である。
【００３４】
図３において、表示部１０１は、Ｗｅｂサーバ５００から取得したコンテンツ等を表示する。表示部１０１は、本実施の形態では、液晶パネル等の通信端末１００に内蔵された表示装置を想定しているが、通信端末１００が備える映像出力端子に接続された外部モニタでもよい。
【００３５】
リモコン受光部１０２は、ユーザが操作するリモコン信号を受信する。
【００３６】
ＵＲＬリスト１０３は、アクセス回線を判別するためのアクセス回線情報とＵＲＬの対応表である。図４にＵＲＬリストの一例を示す。図４に示すＵＲＬリスト１０３では、アクセス回線情報としてのルータ３０１のＩＰアドレスと、Ｗｅｂサーバ５００が保持するコンテンツのＵＲＬが対応している。
【００３７】
アクセス回線情報収集部１４４は、アクセス回線２００を識別するための情報を受信する。図４に示すＵＲＬリスト１０３を用いる場合、アクセス回線情報収集部１４４は、通信端末１００が利用するルータ３０１のＩＰアドレスを受信する。
【００３８】
コンテンツ変更部１０５は、ＵＲＬリスト１０３を検索し、アクセス回線情報収集部１４４が収集したアクセス回線情報に対応するコンテンツのＵＲＬを取得する。
【００３９】
コンテンツ取得部１０６は、コンテンツ変更部１０５から指示されたＵＲＬのコンテンツを取得し、表示部１０１に表示する。コンテンツ取得部１０６は、例えばＷｅｂブラウザや映像表示アプリケーションが考えられるが、これに限定されるものではない。
【００４０】
図５は、Ｗｅｂサーバ５００の内部構成を示した図である。
【００４１】
図５において、コンテンツ要求受信部５０１は、通信端末１００からのコンテンツ要求を受信し、コンテンツ要求がアクセス回線情報に対する要求か、コンテンツそのものの要求かを判断する。
【００４２】
アクセス回線情報収集部５０２は、通信端末１００が利用するアクセス回線２００を識別するための情報を収集する。
【００４３】
アクセス回線情報送信部５０３は、アクセス回線情報収集部５０２が収集した情報を通信端末１００に対して送信する。
【００４４】
コンテンツ送信部５０４は、通信端末１００に対してコンテンツを送信する。
【００４５】
以下に、本実施の形態における通信端末１００の動作を、図６に示すフローチャートを用いて説明する。
【００４６】
ユーザがリモコン操作によって、コンテンツ取得要求を通信端末に対して送信する（ステップＳ１００）。コンテンツ取得要求をリモコン受光部１０２を介して受信したコンテンツ取得部１０６は、Ｗｅｂサーバ５００に対してコンテンツ取得を要求する(ステップＳ１１０）。アクセス回線情報受信部１４４は、Ｗｅｂサーバ５００からコンテンツではなく、通信端末１００からＷｅｂサーバ５００に至るまでのＩＰパケットの転送経路となるルータのＩＰアドレスを受信し、コンテンツ変更部１０５に通知する（ステップＳ１２０）。ステップＳ１１０およびステップＳ１２０では、通信プロトコルとして例えばＨＴＴＰを用いることができる。この場合、ステップＳ１１０でＨＴＴＰのＧＥＴリクエストを送信すると、ステップＳ１２０ではＷｅｂサーバ５００からの返信として、ステータスコードにリダイレクトを示す３００番台の番号を、メッセージフィールドまたは拡張したヘッダフィールドにルータのリストを格納したＨＴＴＰレスポンスを受信する。コンテンツ変更部１０５は、通知されたルータのＩＰアドレスとＵＲＬリスト１０３に記述されているルータ３０１のＩＰアドレスを一つずつ比較し、対応するコンテンツのＵＲＬを取得し、コンテンツ取得部１０６に通知する（ステップＳ１３０）。コンテンツ取得部１０６は、通知されたＵＲＬにアクセスして該当するコンテンツを取得し、表示部１０１に表示する（ステップＳ１４０）。
【００４７】
以下に、本実施の形態におけるＷｅｂサーバ５００の動作を、図７に示すフローチャートを用いて説明する。
【００４８】
コンテンツ要求受信部５０１は、通信端末１００からコンテンツ要求を受信する（ステップＳ５００）。コンテンツ要求受信部５０１は、要求がコンテンツに対するものか、通信端末が利用するアクセス回線に対するものかを判断する（ステップＳ５１０）。ステップ５１０において、アクセス回線情報要求である場合、アクセス回線情報収集部５０２は、通信端末１００に対してｔｒａｃｅｒｏｕｔｅを実行し、結果をアクセス回線情報送信部５０３に通知する（ステップＳ５２０）。ｔｒａｃｅｒｏｕｔｅコマンドは、ＵＮＩＸ（登録商標）等に標準で実装されているコマンドで、Ｗｅｂサーバ５００が通信端末１００にアクセスする際のＩＰパケットの転送経路となる全てのルータのＩＰアドレスを収集することができる。ｔｒａｃｅｒｏｕｔｅで収集したＩＰアドレスの中には、通信端末１００が利用しているアクセス回線に応じたルータ３０１のＩＰアドレスが必ず含まれる。アクセス回線情報送信部５０３は、通信端末１００に対してｔｒａｃｅｒｏｕｔｅの結果得られたルータのＩＰアドレスリストを送信する（ステップＳ５３０）。ステップ５１０において、コンテンツ要求である場合、通信端末１００が要求したコンテンツを送信する（ステップＳ５４０）。
【００４９】
すなわち、通信端末１００がアクセス回線２００ａを利用している場合、Ｗｅｂサーバ５００のステップＳ５２０の実行結果にルータ３０１ａのＩＰアドレス「１２３．１２３．１２３．１」が含まれ、通信端末１００のステップＳ１３０でＵＲＬ「ｈｔｔｐ：／／ｗｗｗ．ａａａ．ｃｏ．ｊｐ／ａ．ｈｔｍｌ」が得られ、通信端末１００のステップＳ１４０でＷｅｂサーバ５００から該当するコンテンツを取得し、表示を行う。同様に、通信端末１００がアクセス回線２００ｃを利用している場合、通信端末１００は、ＵＲＬ「ｈｔｔｐ：／／ｗｗｗ．ａａａ．ｃｏ．ｊｐ／ｃ．ｈｔｍｌ」に該当するコンテンツを表示する。また、通信端末１００がＵＲＬリスト１０３で想定していないアクセス回線を利用している場合、通信端末１００は、ＵＲＬ「ｈｔｔｐ：／／ｗｗｗ．ａａａ．ｃｏ．ｊｐ／ｄｅｆａｕｌｔ．ｈｔｍｌ」に該当するコンテンツを表示する。
【００５０】
以上説明した構成によれば、Ｗｅｂブラウザ等のコンテンツ表示アプリケーションを起動した時に、アクセス回線に応じたコンテンツを自動的に表示することが可能になる。
【００５１】
以上、本発明の実施の形態におけるシステムを説明したが、これは一例であって、この実施の形態に限定されるものではない。
【００５２】
本実施の形態では、ＵＲＬリストを予め通信端末１００が保有していることを前提として説明したが、Ｗｅｂサーバ５００から取得することもできる。この場合、Ｗｅｂサーバ５００のステップＳ５３０において、ルータリストと共にＵＲＬリスト１０３を通信端末１００に送信する。
【００５３】
以上のようにすることで、Ｗｅｂサーバの管理者が、通信端末に表示するコンテンツを決定する事が可能になる。
【産業上の利用可能性】
【００５４】
本発明にかかるインターネットへのアクセス回線に応じた表示変更システム、および通信端末、およびサーバは、通信端末が利用しているインターネットへのアクセス回線に応じて、通信端末のＷｅｂブラウザ等に表示するする内容を変更することを可能にするので、アクセス回線の種類・品質・事業者等に応じて通信端末に提供するサービスを変更するシステム等に有用である。
【図面の簡単な説明】
【００５５】
【図１】本発明の実施の形態１におけるアクセス回線に応じた表示変更システム構成図
【図２】本発明の実施の形態１におけるＩＳＰ３００の内部構成図
【図３】本発明の実施の形態１における通信端末１００の内部構成図
【図４】本発明の実施の形態１におけるＵＲＬリスト１０３を示す図
【図５】本発明の実施の形態１におけるＷｅｂサーバ５００の内部構成図
【図６】本発明の実施の形態１における通信端末１００のフローチャート
【図７】本発明の実施の形態１におけるＷｅｂサーバ５００のフローチャート
【図８】従来のシステム構成図
【符号の説明】
【００５６】
１００    通信端末
１０１    表示部
１０２    リモコン受光部
１０３    ＵＲＬリスト
１０５    コンテンツ変更部
１０６    コンテンツ取得部
１４４    アクセス回線情報受信部
１９０    従来例の通信端末
２００    アクセス回線
２００ａ〜ｎ    アクセス回線
２１０    アクセス回線
３００    ＩＳＰ
３０１ａ〜ｎ    ルータ
３０２    ルータ
４００    インターネット
５００    Ｗｅｂサーバ
５０１    コンテンツ要求受信部
５０２    アクセス回線情報収集部
５０３    アクセス回線情報送信部
５０４    コンテンツ送信部
【図１】
2006331061.tif 000003
【図２】
2006331061.tif 000004
【図３】
2006331061.tif 000005
【図４】
2006331061.tif 000006
【図５】
2006331061.tif 000007
【図６】
2006331061.tif 000008
【図７】
2006331061.tif 000009
【図８】
2006331061.tif 000010